(57)【要約】【課題】  時間経過により変動する第１エネルギー使用量に係る情報と、この第１エネルギー使用量と対比すべき対象として設定される第２エネルギー使用量に係る情報とを対象として、エネルギー使用における両者の状況を、視覚的に一目で把握し得るエネルギー使用量表示装置を提供する。【解決手段】  エネルギー使用量表示モニター４１の左側に目標量表示部４３を、右側に使用量表示部４４を表示する。使用電力量が目標電力量よりも小さいか大きいかの大小に応じて、目標量表示部４３と使用量表示部４４の上下方向位置を、中心点を支点４２にしてシーソーの如く一方がより高くなれば他方がより低く変化するように、段階的に変更して表示する。目標量表示部４３と使用量表示部４４の各中心点を互いに結ぶように設定した区画線４５を挟んで下側領域４７に対し、使用電力量が目標電力量より小さいときは青色、大きいときは橙色の着色を付す。【選択図】      図３
2015069390.tif 000002
【特許請求の範囲】
【請求項１】
使用電力量、ガス使用量及び水道使用量の内の少なくとも１のエネルギー使用量を計測するためのエネルギー使用量計測部から出力を受けて記憶するエネルギー使用量記憶部と、エネルギー使用量表示モニターと、前記エネルギー使用量記憶部内の記憶データを用いエネルギー使用量に係る情報を前記エネルギー使用量表示モニターに対し表示制御する表示制御手段とを備えたエネルギー使用量表示装置において、
前記表示制御手段は、前記エネルギー使用量に係る少なくとも一組の対比される数値であって、時間経過により変動する第１エネルギー使用量に係る情報と、この第１エネルギー使用量と対比すべき対象として設定される第２エネルギー使用量に係る情報とを対象とし、前記第１エネルギー使用量に係る情報を表示するための第１エネルギー使用量表示部を前記エネルギー使用量表示モニターの左右方向一側領域において領域設定する一方、前記第２エネルギー使用量に係る情報を表示するための第２エネルギー使用量表示部を前記エネルギー使用量表示モニターの左右方向他側領域において領域設定し、かつ、前記第１エネルギー使用量が前記第２エネルギー使用量よりも大となる大小関係にあるとき、前記第１エネルギー使用量表示部の表示位置を前記大小関係に対応させて上下方向いずれか一側位置に設定する一方、前記第２エネルギー使用量表示部の表示位置を上下方向に対し他側位置に設定するように構成されている
ことを特徴とするエネルギー使用量表示装置。
【請求項２】
請求項１に記載のエネルギー使用量表示装置であって、
前記表示制御手段は、前記第１エネルギー使用量と前記第２エネルギー使用量とが互いに略等しい関係にあるとき、前記第１エネルギー使用量表示部の表示位置と、前記第２エネルギー使用量表示部の表示位置とが上下方向に対し互いに同じレベル位置になるよう両者の表示位置を設定するように構成されている、エネルギー使用量表示装置。
【請求項３】
請求項１又は請求項２に記載のエネルギー使用量表示装置であって、
前記表示制御手段は、前記第１エネルギー使用量が前記第２エネルギー使用量よりも小となる大小関係にあるとき、前記第１エネルギー使用量表示部の表示位置と、前記第２エネルギー使用量表示部の表示位置とを、前記第１エネルギー使用量が前記第２エネルギー使用量よりも大となる大小関係にあるときの前記各表示位置とは上下方向に対し逆の側の各位置に設定するように構成されている、エネルギー使用量表示装置。
【請求項４】
請求項１〜請求項３のいずれかに記載のエネルギー使用量表示装置であって、
前記表示制御手段は、前記第１エネルギー使用量と前記第２エネルギー使用量との間の差の大小に応じて、前記第１エネルギー使用量表示部と前記第２エネルギー使用量表示部との両表示位置間の上下方向距離を段階的に又は無段階に変更するように構成されている、エネルギー使用量表示装置。
【請求項５】
請求項４に記載のエネルギー使用量表示装置であって、
前記表示制御手段は、前記第１エネルギー使用量表示部と前記第２エネルギー使用量表示部との両表示位置間の上下方向距離の変更を、前記第１エネルギー使用量表示部と前記第２エネルギー使用量表示部との左右方向の略中間点を支点にして、前記第１エネルギー使用量表示部と前記第２エネルギー使用量表示部とが点対称を維持するように変更するように構成されている、エネルギー使用量表示装置。
【請求項６】
請求項１〜請求項５のいずれかに記載のエネルギー使用量表示装置であって、
前記表示制御手段は、エネルギー使用量表示モニターの背景の少なくとも一部領域に対し有色の色彩で着色するように構成され、かつ、その着色を前記第１エネルギー使用量と第２エネルギー使用量との大小関係の如何に応じて互いに異なる色彩に変更するように構成されている、エネルギー使用量表示装置。
【請求項７】
請求項６に記載のエネルギー使用量表示装置であって、
前記表示制御手段は、前記第１エネルギー使用量表示部と前記第２エネルギー使用量表示部とを互いに結ぶように設定した区画線を挟んで上下方向に対しいずれか一方の領域に対し着色するように構成されている、エネルギー使用量表示装置。
【請求項８】
使用電力量、ガス使用量及び水道使用量の内の少なくとも１のエネルギー使用量を計測するためのエネルギー使用量計測部から出力を受けて記憶するエネルギー使用量記憶部と、エネルギー使用量表示部と、前記エネルギー使用量記憶部内の記憶データを用いエネルギー使用量に係る情報を前記エネルギー使用量表示モニターに対し表示制御する表示制御手段とを備えたエネルギー使用量表示装置において、
前記表示制御手段は、前記エネルギー使用量に係る少なくとも一組の対比される数値であって、時間経過により変動する第１エネルギー使用量に係る情報と、この第１エネルギー使用量と対比すべき対象として設定される第２エネルギー使用量に係る情報とを対象とし、前記第１エネルギー使用量に係る情報を表示するための第１エネルギー使用量表示部を前記エネルギー使用量表示モニターの上下方向一側領域において領域設定する一方、前記第２エネルギー使用量に係る情報を表示するための第２エネルギー使用量表示部を前記エネルギー使用量表示モニターの上下方向他側領域において領域設定し、かつ、前記第１エネルギー使用量が前記第２エネルギー使用量よりも大となる大小関係にあるとき、前記第１エネルギー使用量表示部の表示位置を前記大小関係に対応させて左右方向いずれか一側位置に設定する一方、前記第２エネルギー使用量表示部の表示位置を左右方向に対し他側位置に設定するように構成されている
ことを特徴とするエネルギー使用量表示装置。
【請求項９】
請求項８に記載のエネルギー使用量表示装置であって、
前記表示制御手段は、前記第１エネルギー使用量と前記第２エネルギー使用量とが互いに略等しい関係にあるとき、前記第１エネルギー使用量表示部の表示位置と、前記第２エネルギー使用量表示部の表示位置とが左右方向に対し互いに同じ上下方向位置になるよう両者の表示位置を設定するように構成されている、エネルギー使用量表示装置。
【請求項１０】
請求項８又は請求項９に記載のエネルギー使用量表示装置であって、
前記表示制御手段は、前記第１エネルギー使用量が前記第２エネルギー使用量よりも小となる大小関係にあるとき、前記第１エネルギー使用量表示部の表示位置と、前記第２エネルギー使用量表示部の表示位置とを、前記第１エネルギー使用量が前記第２エネルギー使用量よりも大となる大小関係にあるときの前記各表示位置とは左右方向に対し逆の側の各位置に設定するように構成されている、エネルギー使用量表示装置。
【請求項１１】
請求項８〜請求項１０のいずれかに記載のエネルギー使用量表示装置であって、
前記表示制御手段は、前記第１エネルギー使用量と前記第２エネルギー使用量との間の差の大小に応じて、前記第１エネルギー使用量表示部と前記第２エネルギー使用量表示部との両表示位置間の左右方向距離を段階的に又は無段階に変更するように構成されている、エネルギー使用量表示装置。
【請求項１２】
請求項１１に記載のエネルギー使用量表示装置であって、
前記表示制御手段は、前記第１エネルギー使用量表示部と前記第２エネルギー使用量表示部との両表示位置間の左右方向距離の変更を、前記第１エネルギー使用量表示部と前記第２エネルギー使用量表示部との上下方向の略中間点を支点にして、前記第１エネルギー使用量表示部と前記第２エネルギー使用量表示部とが点対称を維持するように変更するように構成されている、エネルギー使用量表示装置。
【請求項１３】
請求項８〜請求項１２のいずれかに記載のエネルギー使用量表示装置であって、
前記表示制御手段は、前記エネルギー使用量表示モニターの背景の少なくとも一部領域に対し有色の色彩で着色するように構成され、かつ、その着色を前記第１エネルギー使用量と第２エネルギー使用量との大小関係の如何に応じて互いに異なる色彩に変更するように構成されている、エネルギー使用量表示装置。
【請求項１４】
請求項１３に記載のエネルギー使用量表示装置であって、
前記表示制御手段は、前記第１エネルギー使用量表示部と前記第２エネルギー使用量表示部とを互いに結ぶように設定した区画線を挟んで左右方向に対しいずれか一方の領域に対し着色するように構成されている、エネルギー使用量表示装置。
【請求項１５】
請求項１〜請求項１４のいずれかに記載のエネルギー使用量表示装置であって、
前記第１エネルギー使用量は現在を含む所定期間内のエネルギー使用量に係る実績値であり、前記第２エネルギー使用量は前記所定期間内のエネルギー使用量に係る目標値である、エネルギー使用量表示装置。
【請求項１６】
請求項１〜請求項１４のいずれかに記載のエネルギー使用量表示装置であって、
前記第１エネルギー使用量は現在を含む所定期間内のエネルギー使用量に係る積算値であり、前記第２エネルギー使用量は過去の前記所定期間と同じ期間内のエネルギー使用量に係る積算値である、エネルギー使用量表示装置。
【発明の詳細な説明】
【技術分野】
【０００１】
本発明は、商用電力系統と系統連系される発電装置、家庭内負荷への電力供給装置、又は、給湯器等の家庭内でガスもしくは水道等を使用する装置などと連係して用いられるエネルギー使用量表示装置に関し、特に使用量と目標量との状況、又は、現在の使用量と過去の実績量との状況などの一組の対比されるエネルギー使用量に係る状況について、視覚的に一目で認識し得るエネルギー使用量表示装置に係る。
【背景技術】
【０００２】
例えば、近年、太陽光発電パネルの普及に伴い各家庭においても太陽光発電パネルを設置し発電された電力を自宅で使用したり余剰電力は売電したりすることが行われている。特許文献１（例えば図４参照）では、発電量や使用電力、あるいは、使用ガス量や給湯に使用した水量等のエネルギー使用量に係る情報をモニターに表示することが開示されている。又、特許文献２（図４〜図６参照）では、節約電力量の多少に応じてキャラクタの状況を変化させてモニターに表示することが開示されている。
【先行技術文献】
【特許文献】
【０００３】
【特許文献１】特開２０１２−１７８７０１号公報
【特許文献２】特開２００７−２７２２６８号公報
【発明の概要】
【発明が解決しようとする課題】
【０００４】
しかしながら、従来のエネルギー使用量表示装置においては、エネルギー使用量自体についての情報は示されているものの、現在状況が例えば目標値又は過去の実績と比べて、使い過ぎ状態にあるのか節約状態にあるのかという状況、あるいは、どの程度の使い過ぎ又は節約の状況にあるのかということを、ユーザーが見ただけでは十分に把握することができないものであった。
【０００５】
本発明は、このような事情に鑑みてなされたものであり、その目的とするところは、時間経過により変動する第１エネルギー使用量に係る情報と、この第１エネルギー使用量と対比すべき対象として設定される第２エネルギー使用量に係る情報とを対象として、エネルギー使用における両者の状況を、視覚的に一目で把握し得るエネルギー使用量表示装置を提供することにある。
【課題を解決するための手段】
【０００６】
上記目的を達成するために、第１の発明では、使用電力量、ガス使用量及び水道使用量の内の少なくとも１のエネルギー使用量を計測するためのエネルギー使用量計測部から出力を受けて記憶するエネルギー使用量記憶部と、エネルギー使用量表示モニターと、前記エネルギー使用量記憶部内の記憶データを用いエネルギー使用量に係る情報を前記エネルギー使用量表示モニターに対し表示制御する表示制御手段とを備えたエネルギー使用量表示装置を対象にして、次の特定事項を備えることとした。すなわち、前記表示制御手段として、前記エネルギー使用量に係る少なくとも一組の対比される数値であって、時間経過により変動する第１エネルギー使用量に係る情報と、この第１エネルギー使用量と対比すべき対象として設定される第２エネルギー使用量に係る情報とを対象とし、前記第１エネルギー使用量に係る情報を表示するための第１エネルギー使用量表示部を前記エネルギー使用量表示モニターの左右方向一側領域において領域設定する一方、前記第２エネルギー使用量に係る情報を表示するための第２エネルギー使用量表示部を前記エネルギー使用量表示モニターの左右方向他側領域において領域設定し、かつ、前記第１エネルギー使用量が前記第２エネルギー使用量よりも大となる大小関係にあるとき、前記第１エネルギー使用量表示部の表示位置を前記大小関係に対応させて上下方向いずれか一側位置に設定する一方、前記第２エネルギー使用量表示部の表示位置を上下方向に対し他側位置に設定する構成とした（請求項１）。
【０００７】
本発明の場合、エネルギー使用量表示モニターの左右方向一側領域に第１エネルギー使用量表示部が表示され、左右方向他側領域に第２エネルギー使用量表示部が表示され、かつ、第１エネルギー使用量が第２エネルギー使用量よりも大となる大小関係にあるとき、第１エネルギー使用量表示部の表示位置を大小関係に対応させて上下方向いずれか一側位置に設定する一方、第２エネルギー使用量表示部の表示位置を上下方向に対し他側位置に設定するようにしているため、第１エネルギー使用量表示部及び第２エネルギー使用量表示部の表示を、たとえ遠くから見たとしても、その表示位置の高い／低いという上下方向の違いを一目で認識し得ることとなる。このため、第１エネルギー使用量が第２エネルギー使用量よりも大であるという現在のエネルギー使用状況に係る情報について、一目見るだけで把握可能となし得ることになる。
【０００８】
本発明のエネルギー使用量表示装置において、表示制御手段として、第１エネルギー使用量と第２エネルギー使用量とが互いに略等しい関係にあるとき、第１エネルギー使用量表示部の表示位置と、第２エネルギー使用量表示部の表示位置とを上下方向に対し互いに同じレベル位置になるよう両者の表示位置を設定する構成とすることができる（請求項２）。このようにすることにより、請求項１の場合と同様に、第１エネルギー使用量表示部及び第２エネルギー使用量表示部の表示を、たとえ遠くから見たとしても、それらの上下方向に対する表示位置が同等か否かを一目で認識し得ることとなる。このため、これら第１エネルギー使用量と第２エネルギー使用量とが互いに同等の状態にあることを、一目見るだけで把握可能となし得ることになる。
【０００９】
本発明のエネルギー使用量表示装置において、表示制御手段として、第１エネルギー使用量が第２エネルギー使用量よりも小となる大小関係にあるとき、第１エネルギー使用量表示部の表示位置と、第２エネルギー使用量表示部の表示位置とを、第１エネルギー使用量が第２エネルギー使用量よりも大となる大小関係にあるときの前記各表示位置とは上下方向に対し逆の側の各位置に設定する構成とすることができる（請求項３）。このようにすることにより、請求項１の場合と同様に、第１エネルギー使用量表示部及び第２エネルギー使用量表示部の表示を、たとえ遠くから見たとしても、その表示位置の高い／低いが一目で認識し得ることとなる。このため、現在のエネルギー使用状況が、第１エネルギー使用量が第２エネルギー使用量よりも小になっているということについて、一目見るだけで把握可能となし得ることになる。
【００１０】
本発明のエネルギー使用量表示装置において、表示制御手段として、第１エネルギー使用量と第２エネルギー使用量との間の差の大小に応じて、第１エネルギー使用量表示部と第２エネルギー使用量表示部との両表示位置間の上下方向距離を段階的に又は無段階に変更する構成とすることができる（請求項４）。このようにすることにより、第１エネルギー使用量表示部及び第２エネルギー使用量表示部の表示を、たとえ遠くから見たとしても、それぞれの表示位置の高い／低いという程度の違いを一目で認識し得ることとなる。このため、現在のエネルギー使用状況が第１エネルギー使用量と第２エネルギー使用量とのいずれが大であるかの情報に加えて、その大小の程度がどれ位かの目安について、一目見るだけで把握可能となし得ることになる。
【００１１】
このようなエネルギー使用量表示装置においては、表示制御手段として、第１エネルギー使用量表示部と第２エネルギー使用量表示部との両表示位置間の上下方向距離の変更を、第１エネルギー使用量表示部と前記第２エネルギー使用量表示部との左右方向の略中間点を支点にして、第１エネルギー使用量表示部と第２エネルギー使用量表示部とが点対称を維持するように変更させる構成を付加することができる（請求項５）。このようにすることにより、第１エネルギー使用量表示部と第２エネルギー使用量表示部との上下方向位置の変更が、前記支点を中心としてシーソーの如く一側がより高くなれば他側がより低く変化するものとなり、前記の第１エネルギー使用量と第２エネルギー使用量とのいずれが大でありかつその大小の程度がどれ位かの目安について、より容易に把握可能となし得ることになる。
【００１２】
又、本発明のエネルギー使用量表示装置においては、表示制御手段として、エネルギー使用量表示モニターの背景の少なくとも一部領域に対し有色の色彩で着色するように構成し、かつ、その着色を前記第１エネルギー使用量と第２エネルギー使用量との大小関係の如何に応じて互いに異なる色彩に変更する構成とすることができる（請求項６）。このようにすることにより、第１エネルギー使用量が第２エネルギー使用量よりも大か小かによって互いに異なる色彩の着色が付されているため、現在のエネルギー使用状況の如何を、遠くからでも一目見るだけで視覚的に容易に把握し得ることとなる。
【００１３】
このようなエネルギー使用量表示装置においては、表示制御手段として、第１エネルギー使用量表示部と前記第２エネルギー使用量表示部とを互いに結ぶように設定した区画線を挟んで上下方向に対しいずれか一方の領域に対し着色する構成を追加することができる（請求項７）。このようにすることにより、第１エネルギー使用量表示部と第２エネルギー使用量表示部との上下方向位置の違いが遠くから見ても着色領域の形状の違いにより一目で認識可能となり、前記の現在のエネルギー使用状況の如何についての把握を、視覚的により一層容易に把握し得ることとなる。
【００１４】
第１の発明と同様の目的を達成するための第２の発明では、使用電力量、ガス使用量及び水道使用量の内の少なくとも１のエネルギー使用量を計測するためのエネルギー使用量計測部から出力を受けて記憶するエネルギー使用量記憶部と、エネルギー使用量表示モニターと、前記エネルギー使用量記憶部内の記憶データを用いエネルギー使用量に係る情報を前記エネルギー使用量表示モニターに対し表示制御する表示制御手段とを備えたエネルギー使用量表示装置を対象にして次の特定事項を備えることとした。すなわち、前記表示制御手段として、前記エネルギー使用量に係る少なくとも一組の対比される数値であって、時間経過により変動する第１エネルギー使用量に係る情報と、この第１エネルギー使用量と対比すべき対象として設定される第２エネルギー使用量に係る情報とを対象とし、前記第１エネルギー使用量に係る情報を表示するための第１エネルギー使用量表示部を前記エネルギー使用量表示モニターの上下方向一側領域において領域設定する一方、前記第２エネルギー使用量に係る情報を表示するための第２エネルギー使用量表示部を前記エネルギー使用量表示モニターの上下方向他側領域において領域設定し、かつ、前記第１エネルギー使用量が前記第２エネルギー使用量よりも大となる大小関係にあるとき、前記第１エネルギー使用量表示部の表示位置を前記大小関係に対応させて左右方向いずれか一側位置に設定する一方、前記第２エネルギー使用量表示部の表示位置を左右方向に対し他側位置に設定する構成とした（請求項８）。
【００１５】
この第２の発明の場合、エネルギー使用量表示モニターの上下方向一側領域に第１エネルギー使用量表示部が表示され、上下方向他側領域に第２エネルギー使用量表示部が表示され、かつ、第１エネルギー使用量が第２エネルギー使用量よりも大となる大小関係にあるとき、第１エネルギー使用量表示部の表示位置を大小関係に対応させて左右方向いずれか一側位置に設定する一方、第２エネルギー使用量表示部の表示位置を左右方向に対し他側位置に設定するようにしているため、第１エネルギー使用量表示部及び第２エネルギー使用量表示部の表示を、たとえ遠くから見たとしても、その表示位置が左右方向に対しずれていることを一目で認識し得ることとなる。このため、第１エネルギー使用量が第２エネルギー使用量よりも大であるという現在のエネルギー使用状況に係る情報について、一目見るだけで把握可能となし得ることになる。
【００１６】
本発明のエネルギー使用量表示装置において、第１エネルギー使用量と第２エネルギー使用量とが互いに略等しい関係にあるとき、第１エネルギー使用量表示部の表示位置と、第２エネルギー使用量表示部の表示位置とを左右方向に対し互いに同じ上下方向位置になるよう両者の表示位置を設定する構成とすることができる（請求項９）。このようにすることにより、請求項８の場合と同様に、第１エネルギー使用量表示部及び第２エネルギー使用量表示部の表示を、たとえ遠くから見たとしても、それらの左右方向に対する表示位置が同等か否かを一目で認識し得ることとなる。このため、これら第１エネルギー使用量が第２エネルギー使用量と同等の状態にあることについて、一目見るだけで把握可能となし得ることになる。
【００１７】
本発明のエネルギー使用量表示装置において、表示制御手段として、第１エネルギー使用量が第２エネルギー使用量よりも小となる大小関係にあるとき、第１エネルギー使用量表示部の表示位置と、第２エネルギー使用量表示部の表示位置とを、第１エネルギー使用量が第２エネルギー使用量よりも大となる大小関係にあるときの各表示位置とは左右方向に対し逆の側の各位置に設定するように構成とすることができる（請求項１０）。このようにすることにより、請求項８の場合と同様に、第１エネルギー使用量表示部及び第２エネルギー使用量表示部の表示を、たとえ遠くから見たとしても、それらの表示位置が左右方向に対しずれていることを一目で認識し得ることとなる。このため、第１エネルギー使用量が第２エネルギー使用量よりも小であるという現在のエネルギー使用状況に係る情報について、一目見るだけで把握可能となし得ることになる。
【００１８】
本発明のエネルギー使用量表示装置において、表示制御手段として、第１エネルギー使用量と第２エネルギー使用量との間の差の大小に応じて、第１エネルギー使用量表示部と第２エネルギー使用量表示部との両表示位置間の左右方向距離を段階的に又は無段階に変更する構成とすることができる（請求項１１）。このようにすることにより、第１エネルギー使用量表示部及び第２エネルギー使用量表示部の表示を、たとえ遠くから見たとしても、それぞれの表示位置の左右方向に対するずれの程度の違いが一目で認識し得ることとなる。このため、これら現在のエネルギー使用状況として第１エネルギー使用量が第２エネルギー使用量よりも大であるか小であるかの情報に加えて、その大小関係の程度がどれ位かの目安について、一目見るだけで把握可能となし得ることになる。
【００１９】
このようなエネルギー使用量表示装置においては、表示制御手段として、第１エネルギー使用量表示部と第２エネルギー使用量表示部との両表示位置間の左右方向距離の変更を、第１エネルギー使用量表示部と第２エネルギー使用量表示部との上下方向の略中間点を支点にして、第１エネルギー使用量表示部と第２エネルギー使用量表示部とが点対称を維持するように変更させる構成を追加することができる（請求項１２）。このようにすることにより、第１エネルギー使用量表示部と第２エネルギー使用量表示部との左右方向位置の変更が、前記支点を中心として磁石針の如く一方が左右方向一側に対しより大きく移動すれば、他方が左右方向他側に対しより大きく移動するものとなり、前記の第１エネルギー使用量と第２エネルギー使用量との大小関係の程度がどれ位かの目安について、より容易に把握可能となし得ることになる。
【００２０】
又、本発明のエネルギー使用量表示装置において、表示制御手段として、エネルギー使用量表示モニターの背景の少なくとも一部領域に対し有色の色彩で着色するように構成し、かつ、その着色を前記第１エネルギー使用量と第２エネルギー使用量との大小関係の如何に応じて互いに異なる色彩に変更する構成とすることができる（請求項１３）。このようにすることにより、第１エネルギー使用量が第２エネルギー使用量よりも大か小かの大・小の違いによって互いに異なる色彩の着色が付されているため、現在のエネルギー使用状況の如何を、遠くからでも一目見るだけで視覚的に容易に把握し得ることとなる。
【００２１】
このようなエネルギー使用量表示装置においては、表示制御手段として、第１エネルギー使用量表示部と第２エネルギー使用量表示部とを互いに結ぶように設定した区画線を挟んで左右方向に対しいずれか一方の領域に対し着色する構成を追加することができる（請求項１４）。このようにすることにより、第１エネルギー使用量表示部と第２エネルギー使用量表示部との左右方向位置の違いが遠くから見ても着色領域の形状の違いにより一目で認識可能となり、前記の現在のエネルギー使用状況の如何についての把握を、視覚的により一層容易に把握し得ることとなる。
【００２２】
以上の本発明のエネルギー使用量表示装置において、第１エネルギー使用量として現在を含む所定期間内のエネルギー使用量に係る実績値とし、第２エネルギー使用量として前記所定期間内のエネルギー使用量に係る目標値とすることができる（請求項１５）。このようにすることにより、現在のエネルギー使用状況として、目標値に対し実績値の状況がどうなっているかを一目で容易に把握可能となる。
【００２３】
又、以上の本発明のエネルギー使用量表示装置において、第１エネルギー使用量として現在を含む所定期間内のエネルギー使用量に係る積算値とし、前記第２エネルギー使用量として過去の前記所定期間と同じ期間内のエネルギー使用量に係る積算値とすることができる（請求項１６）。このようにすることにより、現在のエネルギー使用状況として、過去の使用状況に対し現在の使用状況がどうなっているかのエネルギー使用状況を一目で容易に把握可能となる。
【発明の効果】
【００２４】
以上、説明したように、請求項１〜請求項７のいずれかに係る第１の発明のエネルギー使用量表示装置によれば、エネルギー使用量表示モニターの左右方向一側領域に第１エネルギー使用量表示部を表示し、左右方向他側領域に第２エネルギー使用量表示部を表示し、かつ、第１エネルギー使用量が第２エネルギー使用量よりも大となる大小関係にあるとき、第１エネルギー使用量表示部の表示位置を大小関係に対応させて上下方向いずれか一側位置に設定する一方、第２エネルギー使用量表示部の表示位置を上下方向に対し他側位置に設定するようにしているため、第１エネルギー使用量表示部及び第２エネルギー使用量表示部の表示を、たとえ遠くから見たとしても、その表示位置の高い／低いという上下方向の違いを一目で認識することができるようになる。このため、第１エネルギー使用量が第２エネルギー使用量よりも大であるという現在のエネルギー使用状況に係る情報について、一目見るだけで把握可能とすることができる。
【００２５】
請求項２のエネルギー使用量表示装置によれば、表示制御手段として、第１エネルギー使用量と第２エネルギー使用量とが互いに略等しい関係にあるとき、第１エネルギー使用量表示部の表示位置と、第２エネルギー使用量表示部の表示位置とを上下方向に対し互いに同じレベル位置になるよう両者の表示位置を設定する構成とすることにより、第１エネルギー使用量表示部及び第２エネルギー使用量表示部の表示を、たとえ遠くから見たとしても、それらの上下方向に対する表示位置が同等か否かを一目で認識することができるように。このため、これら第１エネルギー使用量と第２エネルギー使用量とが互いに同等の状態にあることを、一目見るだけで把握可能とすることができる。
【００２６】
請求項３のエネルギー使用量表示装置によれば、表示制御手段として、第１エネルギー使用量が第２エネルギー使用量よりも小となる大小関係にあるとき、第１エネルギー使用量表示部の表示位置と、第２エネルギー使用量表示部の表示位置とを、第１エネルギー使用量が第２エネルギー使用量よりも大となる大小関係にあるときの前記各表示位置とは上下方向に対し逆の側の各位置に設定する構成とすることにより、第１エネルギー使用量表示部及び第２エネルギー使用量表示部の表示を、たとえ遠くから見たとしても、その表示位置の高い／低いが一目で認識することができるようになる。このため、現在のエネルギー使用状況が、第１エネルギー使用量が第２エネルギー使用量よりも小になっているということについて、一目見るだけで把握可能とすることができる。
【００２７】
請求項４のエネルギー使用量表示装置によれば、表示制御手段として、第１エネルギー使用量と第２エネルギー使用量との間の差の大小に応じて、第１エネルギー使用量表示部と第２エネルギー使用量表示部との両表示位置間の上下方向距離を段階的に又は無段階に変更する構成とすることにより、第１エネルギー使用量表示部及び第２エネルギー使用量表示部の表示を、たとえ遠くから見たとしても、それぞれの表示位置の高い／低いという程度の違いを一目で認識することができるようになる。このため、現在のエネルギー使用状況が第１エネルギー使用量と第２エネルギー使用量とのいずれが大であるかの情報に加えて、その大小の程度がどれ位かの目安について、一目見るだけで把握可能とすることができる。
【００２８】
請求項５のエネルギー使用量表示装置によれば、表示制御手段として、第１エネルギー使用量表示部と第２エネルギー使用量表示部との両表示位置間の上下方向距離の変更を、第１エネルギー使用量表示部と前記第２エネルギー使用量表示部との左右方向の略中間点を支点にして、第１エネルギー使用量表示部と第２エネルギー使用量表示部とが点対称を維持するように変更させる構成を付加することにより、第１エネルギー使用量表示部と第２エネルギー使用量表示部との上下方向位置の変更が、前記支点を中心としてシーソーの如く一側がより高くなれば他側がより低く変化するものとなり、前記の第１エネルギー使用量と第２エネルギー使用量とのいずれが大でありかつその大小の程度がどれ位かの目安について、より容易に把握可能とすることができる。
【００２９】
請求項６のエネルギー使用量表示装置によれば、表示制御手段として、エネルギー使用量表示モニターの背景の少なくとも一部領域に対し有色の色彩で着色するように構成し、かつ、その着色を前記第１エネルギー使用量と第２エネルギー使用量との大小関係の如何に応じて互いに異なる色彩に変更する構成とすることにより、第１エネルギー使用量が第２エネルギー使用量よりも大か小かによって互いに異なる色彩の着色が付されているため、現在のエネルギー使用状況の如何を、遠くからでも一目見るだけで視覚的に容易に把握することができるようになる。
【００３０】
請求項７のエネルギー使用量表示装置によれば、表示制御手段として、第１エネルギー使用量表示部と前記第２エネルギー使用量表示部とを互いに結ぶように設定した区画線を挟んで上下方向に対しいずれか一方の領域に対し着色する構成を追加することにより、第１エネルギー使用量表示部と第２エネルギー使用量表示部との上下方向位置の違いを遠くから見ても着色領域の形状の違いにより一目で認識することができるようになり、前記の現在のエネルギー使用状況の如何についての把握を、視覚的により一層容易に把握することができる。
【００３１】
又、請求項８〜請求項１４のいずれかに係る第２の発明のエネルギー使用量表示装置によれば、エネルギー使用量表示モニターの上下方向一側領域に第１エネルギー使用量表示部を表示し、上下方向他側領域に第２エネルギー使用量表示部を表示し、かつ、第１エネルギー使用量が第２エネルギー使用量よりも大となる大小関係にあるとき、第１エネルギー使用量表示部の表示位置を大小関係に対応させて左右方向いずれか一側位置に設定する一方、第２エネルギー使用量表示部の表示位置を左右方向に対し他側位置に設定するようにしているため、第１エネルギー使用量表示部及び第２エネルギー使用量表示部の表示を、たとえ遠くから見たとしても、その表示位置が左右方向に対しずれていることを一目で認識することができるようになる。このため、第１エネルギー使用量が第２エネルギー使用量よりも大であるという現在のエネルギー使用状況に係る情報について、一目見るだけで把握可能とすることができる。
【００３２】
請求項９のエネルギー使用量表示装置によれば、第１エネルギー使用量と第２エネルギー使用量とが互いに略等しい関係にあるとき、第１エネルギー使用量表示部の表示位置と、第２エネルギー使用量表示部の表示位置とを左右方向に対し互いに同じ上下方向位置になるよう両者の表示位置を設定する構成とすることにより、第１エネルギー使用量表示部及び第２エネルギー使用量表示部の表示を、たとえ遠くから見たとしても、それらの左右方向に対する表示位置が同等か否かを一目で認識することができるようになる。このため、これら第１エネルギー使用量が第２エネルギー使用量と同等の状態にあることについて、一目見るだけで把握可能とすることができる。
【００３３】
請求項１０のエネルギー使用量表示装置によれば、表示制御手段として、第１エネルギー使用量が第２エネルギー使用量よりも小となる大小関係にあるとき、第１エネルギー使用量表示部の表示位置と、第２エネルギー使用量表示部の表示位置とを、第１エネルギー使用量が第２エネルギー使用量よりも大となる大小関係にあるときの前記各表示位置とは左右方向に対し逆の側の各位置に設定する構成とすることにより、第１エネルギー使用量表示部及び第２エネルギー使用量表示部の表示を、たとえ遠くから見たとしても、それらの表示位置が左右方向に対しずれていることを一目で認識することができるようになる。このため、第１エネルギー使用量が第２エネルギー使用量よりも小であるという現在のエネルギー使用状況に係る情報について、一目見るだけで把握可能とすることができる。
【００３４】
請求項１１のエネルギー使用量表示装置によれば、表示制御手段として、第１エネルギー使用量と第２エネルギー使用量との間の差の大小に応じて、第１エネルギー使用量表示部と第２エネルギー使用量表示部との両表示位置間の左右方向距離を段階的に又は無段階に変更する構成とすることにより、第１エネルギー使用量表示部及び第２エネルギー使用量表示部の表示を、たとえ遠くから見たとしても、それぞれの表示位置の左右方向に対するずれの程度の違いが一目で認識することができるようになる。このため、これら現在のエネルギー使用状況として第１エネルギー使用量が第２エネルギー使用量よりも大であるか小であるかの情報に加えて、その大小関係の程度がどれ位かの目安について、一目見るだけで把握可能とすることができる。
【００３５】
請求項１２のエネルギー使用量表示装置によれば、表示制御手段として、第１エネルギー使用量表示部と第２エネルギー使用量表示部との両表示位置間の左右方向距離の変更を、第１エネルギー使用量表示部と第２エネルギー使用量表示部との上下方向の略中間点を支点にして、第１エネルギー使用量表示部と第２エネルギー使用量表示部とが点対称を維持するように変更させる構成を追加することにより、第１エネルギー使用量表示部と第２エネルギー使用量表示部との左右方向位置の変更が、前記支点を中心として磁石針の如く一方が左右方向一側に対しより大きく移動すれば、他方が左右方向他側に対しより大きく移動するものとなり、前記の第１エネルギー使用量と第２エネルギー使用量との大小関係の程度がどれ位かの目安について、より容易に把握可能とすることができる。
【００３６】
請求項１３のエネルギー使用量表示装置によれば、表示制御手段として、エネルギー使用量表示モニターの背景の少なくとも一部領域に対し有色の色彩で着色するように構成し、かつ、その着色を前記第１エネルギー使用量と第２エネルギー使用量との大小関係の如何に応じて互いに異なる色彩に変更する構成とすることにより、第１エネルギー使用量が第２エネルギー使用量よりも大か小かの大・小の違いによって互いに異なる色彩の着色が付されているため、現在のエネルギー使用状況の如何を、遠くからでも一目見るだけで視覚的に容易に把握することができるようになる。
【００３７】
請求項１４のエネルギー使用量表示装置によれば、表示制御手段として、第１エネルギー使用量表示部と第２エネルギー使用量表示部とを互いに結ぶように設定した区画線を挟んで左右方向に対しいずれか一方の領域に対し着色する構成を追加することにより、第１エネルギー使用量表示部と第２エネルギー使用量表示部との左右方向位置の違いが遠くから見ても着色領域の形状の違いにより一目で認識可能となり、前記の現在のエネルギー使用状況の如何についての把握を、視覚的により一層容易に把握することができるようになる。
【００３８】
請求項１５のエネルギー使用量表示装置によれば、第１エネルギー使用量として現在を含む所定期間内のエネルギー使用量に係る実績値とし、第２エネルギー使用量として前記所定期間内のエネルギー使用量に係る目標値とすることにより、現在のエネルギー使用状況として、目標値に対し実績値の状況がどうなっているかを一目で容易に把握することができるようになる。
【００３９】
請求項１６のエネルギー使用量表示装置によれば、第１エネルギー使用量として現在を含む所定期間内のエネルギー使用量に係る積算値とし、前記第２エネルギー使用量として過去の前記所定期間と同じ期間内のエネルギー使用量に係る積算値とすることにより、現在のエネルギー使用状況として、過去の使用状況に対し現在の使用状況がどうなっているかのエネルギー使用状況を一目で容易に把握することができるようになる。
【図面の簡単な説明】
【００４０】
【図１】本発明の実施形態に係るエネルギー使用量表示装置と、これが適用される発電システムの模式図である。
【図２】図１の発電システムの具体的な一例を示すブロック構成図である。
【図３】図３（ａ）は使用電力量が目標電力量よりも大となる場合のエネルギー使用量表示モニターの表示例を示す正面図であり、図３（ｂ）は使用電力量が目標電力量よりも小となる場合のエネルギー使用量表示モニターの表示例を示す正面図である。
【図４】図４は使用電力量が目標電力量よりも小となる場合の段階別表示例を示し、図４（ａ）は１段階目の表示例であり、図４（ｂ）は２段階目の表示例であり、図４（ｃ）は３段階目の表示例である。
【図５】図５は使用電力量が目標電力量よりも大となる場合の段階別表示例を示し、図５（ａ）は１段階目の表示例であり、図５（ｂ）は２段階目の表示例であり、図５（ｃ）は３段階目の表示例である。
【図６】図６（ａ）はエネルギー使用量表示モニターに対する他の実施形態に係る表示例であり、顔（ｂ）は段階別表示の他の形態を示す正面図である。
【発明を実施するための形態】
【００４１】
以下、本発明の実施形態を図面に基づいて説明する。
【００４２】
図１は、本発明の実施形態に係るエネルギー使用量表示装置が適用される発電システムの基本構成を示している。この発電システムは、例えば太陽電池パネル等により構成される発電部１０１で発電される直流電力をパワーコンディショナー１０２によって交流電力に変換して商用電力系統２００に系統連系され、家庭内負荷３００（又は構内負荷）に交流電力を供給する一方、余剰電力を商用電力系統２００へ逆潮流する構成となっている。符号１１１はエネルギー使用量計測部であり、このエネルギー使用量計測部１１１は発電装置１００の発電量や電力売買状況（売電か買電か、売電ならその電力値、買電ならその電力値等）を計測し、これらのデータの出力を受けてパワーコンディショナー１０２により家庭内負荷３００の使用電力量が演算により取得されるようになっている。又エネルギー使用量計測部１１１は、ガスメーター１２１や水道メーター１２２等と通信接続されて、家庭内で消費されるガス使用量や水道使用量等も計測するようになっている。なお、ガス使用量や給湯で消費された水道使用量は給湯器コントローラ１２３からのデータ出力に基づいて演算により計測することもできる。そして、エネルギー使用量計測部１１１やパワーコンディショナー１０２と通信可能に接続されたエネルギー使用量表示装置４００により、エネルギー使用量に係る情報やエネルギー使用に係る状況が表示されるようになっている。
【００４３】
図２は、前記発電システムとして、より具体的な一例を示したものである。その発電システムは、太陽電池パネルにより主構成される発電部１で発電される直流電力をパワーコンディショナー２によって交流電力に変換して単層３線式の商用電力系統に系統連系され、家庭内負荷３（又は構内負荷）に交流電力を供給するとともに余剰電力を商用電力系統へ逆潮流するように構成されたものである。
【００４４】
商用電力系統の単層３線式の引き込み線５は、買電用メーター６ａ及び売電用メーター６ｂを介して配電盤７に接続されている。配電盤７には、アンペアブレーカー８（契約ブレーカー）、漏電ブレーカー９及び安全ブレーカー１０が設けられ、これらブレーカー８，９，１０を介して系統電力が家庭内負荷３に供給される。また、配電盤７には、安全ブレーカー１０から系統電力の供給を受ける電力測定ユニット１１が設けられている。パワーコンディショナー２の出力は発電用ブレーカー１２を介してアンペアブレーカー８と漏電ブレーカー９との間の接続部１３で系統に並列に接続されている。
【００４５】
また、上記接続部１３よりも引き込み線５側には、系統を流れる電流値を検出するためのカレントトランス（ＣＴ）１４が設けられており、このカレントトランス１４は電力測定ユニット１１に電気的に接続されて、検出値が電力測定ユニット１１に供給されている。なお、図示例ではカレントトランス１４はＵ相とＶ相にそれぞれ設けているが、いずれか一方のみに設けても良い。
【００４６】
電力測定ユニット１１は、安全ブレーカー１０から供給される系統電力の系統電圧と、カレントトランス１４により検出された電流値とに基づき、単位時間あたりの系統からの受電電力に係る平均電力を周期的に演算して、演算により求められた受電電力を符号化してなる受電電力に関するデータを第１の信号線１５を介してパワーコンディショナー２へシリアル通信により送出する。なお、受電電力に代えて、所定の単位時間（例えば１〜５秒）あたりの受電電力量を、前記受電電力に関するデータとしてパワーコンディショナー２へ送出することもできる。演算により求められる受電電力は、系統から電力を購入している場合（買電の場合）は正の値となり、系統へ逆潮流している場合（売電の場合）は負の値となる。この逆潮流の有無により、電力売買状況が売電か買電かのいずれであるかについての売電／買電情報の生成が可能となる。かかる逆潮流の有無に関する２値信号（売電／買電情報）を生成して、第２の信号線１６を介してパワーコンディショナー２へ出力している。なお、前記の第２の信号線を省いて第１の信号線１５のみとし、電力測定ユニット１１内に設けた図示省略のマルチプレクサにより受電電力に関するデータと、逆潮流の有無を示す信号とを多重化し、かかる多重化信号を信号線１５を介してパワーコンディショナー２の接続端子１７へ供給し、パワーコンディショナー２側に設けた図示省略のデマルチプレクサにより逆多重化して、受電電力に関するデータと、逆潮流の有無を示す信号とを制御部２１へ供給するようにすることもできる。
【００４７】
なお、電力測定ユニット１１は、前記の受電電力又は受電電力量のみでなく、図外のガスメーターや水道メーターと通信接続されており、家庭内で消費されるガス使用量や水道使用量などを計測する機能を具備し、これらガス使用量や水道使用量に関するデータをも併せたシリアルデータとして、電力測定ユニット１１からパワーコンディショナー２へシリアル通信により送出するようになっている。
【００４８】
パワーコンディショナー２は、制御部２１と、発電部１で発電された直流電力を昇圧して出力するＤＣ／ＤＣコンバーター２２と、該コンバーター２２の出力をＤＣ／ＡＣ変換するインバーター２３を備えており、該インバーター２３の出力がパワーコンディショナー２の出力となる。制御部２１には、第１及び第２の信号線１５，１６が接続された接続端子１７，１８を介して、上記の受電電力に関するデータ、並びに、逆潮流の有無に関する２値信号がそれぞれ入力されている。また、パワーコンディショナー２内には、系統連系点の系統電圧を検出するための計器用変圧器２４（系統電圧検出手段）が設けられており、該計器用変圧器２４は制御部２１に電気的に接続され、系統電圧検出値が制御部２１に入力されている。そして、パワーコンディショナー２には外付けのエネルギー使用量表示装置４が通信可能に接続されており、このエネルギー使用量表示装置４は屋内に設置され、内蔵された表示制御手段が制御部２１から電力売買状況が売電か買電かの売電／買電情報、現在発電量、及び、現在使用電力等の発電システムの電力状況に関する各種データを受信して、エネルギー使用量表示モニター４１に対し現在の電力状況を表示できるようになっている。以上のパワーコンディショナー２や電力測定ユニット１１によって、図１のエネルギー使用量計測部１１１が構成されている。
【００４９】
なお、制御部２１は、出力される交流電力の力率を制御することにより系統電圧の上昇抑制を行う無効電力制御手段２１ａ、出力の有効電力を抑制するための出力抑制制御手段２１ｂ、並びに、系統電圧が系統連系規程に定められる所定電圧を超えたときに発電システムを系統から解列させる解列制御手段２１ｃを備えている。これら各手段２１ａ，２１ｂ，２１ｃはマイコンのシーケンス制御によって実現してもよいし、ＦＰＧＡにより構成しても良いし、各手段毎の専用制御回路によって実現してもよい。
【００５０】
次に、エネルギー使用量表示装置４のエネルギー使用量表示モニター４１に対する表示制御手段による表示制御について図３を参照しつつ詳細に説明する。エネルギー使用量表示モニター４１は、例えばカラー表示可能なドットマトリクスＬＣＤにより構成することができる。本実施形態における特徴的な表示制御のために、使用電力量、ガス使用量及び水道使用量の内の少なくとも１のエネルギー使用量の出力を利用する。本実施形態では、エネルギー使用量として使用電力量を主対象にして以下説明する。エネルギー使用量表示装置４は、エネルギー使用量表示モニター４１や、図示省略の表示制御手段及びエネルギー使用量記憶部を備えて構成されている。エネルギー使用量記憶部は、エネルギー使用量計測部１１１（電力測定ユニット１１）から出力される使用電力量に係る情報を記憶するようになっている。エネルギー使用量表示装置４には使用電力量について目標値（目標電力量）が予め設定され、この設定された目標電力量（第２エネルギー使用量）と、現在使用に係る使用電力量（第１エネルギー使用量）との１組のエネルギー使用量に係る数値について、エネルギー使用量表示モニター４１に対し対比表示するようになっている。
【００５１】
前記の目標電力量は、ユーザーによる手動操作によっても入力設定可能であるし、あるいは、過去の使用電力量に係るデータに基づいて自動設定も可能となっている。これら目標電力量と使用電力量とは、いずれも所定の単位期間分として対比表示される。単位期間が例えば１ヶ月間であれば、１ヶ月間の合計の目標電力量として手動もしくは自動で設定された値に基づいて、月初から本日までの経過日数の割合に基づいて本日時点での目標電力量を割り出し、割り出された目標電力量の数値を本日の対比表示するデータとして用いる。例えば本日が９月１５日であれば、９月の１ヶ月分として設定された目標電力量に、０．５（１５日／３０日）を乗じて本日時点で対比表示する目標電力量とする。一方、本日時点で対比表示する使用電力量としては、月初（９月１日）から本日（１５日）までの使用電力量を積算した数値を用いる。このような本日時点で対比表示するための目標電力量や使用電力量の割り出し又は積算は、表示制御手段に含まれる演算処理部において行うことができる。又、１ヶ月の目標電力量についての自動設定は、例えば次のような自動演算により行うことができる。すなわち、前月の１ヶ月間の使用電力量、過去数ヶ月間における１ヶ月当たりの平均使用電力量、あるいは、前年の同月の１ヶ月間の使用電力量等に基づいて、これに所定の係数（例えば０．９５又は０．９０）を乗じて得られる数値を当月の目標電力量として設定することができる。
【００５２】
又、前記の単位期間が１日間であれば、１日毎の目標電力量をユーザーに手動により入力設定させるようにしてもよいし、例えば前日の使用電力量、過去の所定期間内における１日当たりの平均使用電力量、又は、前年の同日の使用電力量に対し、前記と同様の係数を乗じて得られる数値を本日の目標電力量として設定することができる。単位期間を１日間として対比表示する場合には、１日の時間帯毎に電力使用傾向が異なることから、例えば時間帯毎又は１時間毎の目標電力量を設定し、これを時間経過と共に積算することにより、当日の積算使用電力量と対比表示するようにしてもよい。
【００５３】
以上の目標電力量と使用電力量との対比表示に係る表示制御は次のようにして行う。まず、目標電力量と使用電力量との大小関係を割り出す。すなわち、次の（１）式により得られる目標電力量から使用電力量を減じた差Ｙの値によって、大小関係は次の３通りに場合分けされる。
（目標電力量−使用電力量）＝Ｙ    …（１）式
Ｙ＞０（目標電力量＞使用電力量）、Ｙ＝略０、Ｙ＜０（目標電力量＜使用電力量）の３通り。
【００５４】
そして、表示制御手段は、前記の目標電力値や使用電力量の各値に基づいて、エネルギー使用量表示モニター４１に対し、次の如き表示を行う。すなわち、図３（ａ），（ｂ）に示す如く、エネルギー使用量表示モニター４１を左右方向に領域を区分し、左右方向一側領域（左側領域）に対し目標電力量を表示するため目標量表示部（第２エネルギー使用量表示部）４３を領域設定し、左右方向他側領域（右側領域）に対し使用電力量を表示するための使用量表示部（第１エネルギー使用量表示部）４４を領域設定する。目標量表示部４３としては、所定形状（図例では円形）に領域設定された内部に対し、上段位置に「目標電力量」との文字表示と、中段位置に「３５ｋＷｈ」との数値表示と、下段位置に電力使用をイメージした図形表示（例えばコンセントの図形表示）とがそれぞれ表示されるようになっている。又、使用量表示部４４としては、所定形状（図例では目標量表示部４３と同形状の円形）に領域設定された内部に対し、上段位置に「使用電力量」との文字表示と、中段位置に「３５ｋＷｈ」との数値表示と、下段位置に電力使用に係るイメージとして前記と同様のコンセントを表す図形表示とがそれぞれ表示されるようになっている。加えて、目標量表示部４３と使用量表示部４４との両中心位置を互いに結ぶように区画線４５が表示され、区画線４５を挟んで一側（下側）領域４７が後述の如く着色されるようになっている。
【００５５】
これら目標量表示部４３及び使用量表示部４４は、目標電力量と使用電力量との大小関係の如何（前記の３通りの場合分け）及び大小関係の程度の如何（前記（１）式の差Ｙの値の大小）に応じて、上下方向に対し表示位置が変更されるようになっている。図３に示す例では、目標量表示部４３と使用量表示部４４との両者間の中央位置の仮想支点４２を中心に点対称を維持するように目標量表示部４３及び使用量表示部４４が上下方向に対し互いに逆側に移動するようになっている（図３（ａ），（ｂ）の一点鎖線，二点鎖線，三点鎖線で示す円領域参照）。目標電力量と使用電力量との大小関係としてＹ＜０（目標電力量＜使用電力量）であれば、図３（ａ）に示すように、前記仮想支点４２を中心にして、目標量表示部４３が下方に移動し、使用量表示部４４が逆に上方に移動する。一方、目標電力量と使用電力量との大小関係としてＹ＞０（目標電力量＞使用電力量）であれば、図３（ｂ）に示すように、前記仮想支点４２を中心にして、目標量表示部４３が上方に移動し、使用量表示部４４が逆に下方に移動する。すなわち、数値が大である方がより上方に移動し、小である方がより下方に移動するというように、いわばシーソーの如く表示位置が変更される。従って、Ｙ＝略０の場合には、目標量表示部４３と使用量表示部４４とは互いに同じレベル位置に表示位置が設定される（図３（ａ），（ｂ）の実線参照）。なお、前記（１）式の演算値であるＹの値が０プラスマイナス微小値の範囲においては、ヒステリシスを考慮してＹ＝０とみなす処理を行うようにすることができる。
【００５６】
なお、目標量表示部４３，使用量表示部４４のいずれにおいても、数値表示のサイズを他の表示よりも大きく強調表示している。又、文字表示、数値表示及び図形表示を目標量表示部４３と使用量表示部４４とで互いに異なる色彩で着色するようにすることができる。例えば、目標量表示部４３は赤色で表示し、使用量表示部４４は緑色で表示することができる。さらに、区画線４５を挟んで上下方向のいずれか一方の側（例えば下側）の領域に対し有色の色彩（有彩色）の着色を付し、かつ、その着色をＹ＞０の場合と、Ｙ＜０の場合とで互いに異なる色彩とするようにすることができる。例えば、Ｙ＞０の場合には目標電力量よりも使用電力量が小さく電力使用状況が節約状態にあるため、これをイメージして青色に着色し、Ｙ＜０の場合には目標電力量よりも使用電力量が大きく電力使用状況が使い過ぎの状態にあるため、これに警告する意味合いで橙色に着色することができる。このようにすることにより、比較的遠くからでも視覚的に青色か橙色かの区別がつくため、一目で現在の電力使用状況が節約状態か使い過ぎ状態か、あるいは、電力料金において得しているか損しているかを区別して容易に把握することができる。さらに、後述の傾斜段階（勾配）に応じて、前記の着色の濃淡度合いを変化させるようにすることにより、節約状態であってもあるいは使い過ぎ状態であっても、現在の電力使用状況の程度が大か小かの別、あるいは、得・損の程度が大きいか小さいかの別まで、遠くからでも一目で容易に把握することができる。
【００５７】
又、エネルギー使用量表示モニター４１の下端縁の帯状領域を左右方向に３分割し、それぞれをタッチパネル方式によるグラフ／データボタン４８１、料金ボタン４８２、メニューボタン４８３として割り付けている。グラフ／データボタン４８１を押すことにより、経時的な発電量、使用電力等がグラフ又はデータにより表示される表示画面に切り替わり、料金ボタン４８２を押すことにより、売電又は買電に係る具体的な料金を表示する表示画面に切り替わり、あるいは、メニューボタン４８３を押すことにより、種々のメニュー選択を行うための表示画面に切り替わるようになっている。
【００５８】
そして、前記の目標量表示部４３及び使用量表示部４４の上下方向位置の変更は、前記の（１）式で得られる差Ｙの数値の大小に応じて段階的又は無段階に実行されるようになっている。複数段の段階的に変更する場合には、段階数と、どの段階に属するかを定める閾値とを予め設定しておき、この閾値との対比により上下方向位置の段階を割り出すようにすることができる。例えば、前記の差Ｙの値が６ｋＷｈ未満であれば１段階目の変更、６ｋＷｈ以上〜１１ｋＷｈ未満であれば２段階目の変更、１１ｋＷｈ以上であれば３段階目の変更というように、順次，上下方向への移動距離が増大し、それに伴い区画線４５の傾斜段階も増大するように表示される。
【００５９】
Ｙ＞０の場合、傾斜段階が１段階目であれば、例えば図４（ａ）に例示するように、左側領域の目標量表示部４３の表示位置が右側領域の使用量表示部４４の表示位置よりもやや上方に位置設定される。加えて、区画線４５よりも上側領域４６が無着色又は淡色の背景色とされる一方、区画線４５よりも下側領域４７が青色で着色される。これにより、現在の電力使用状況が目標電力量よりも少ない使用電力量であり、節約状態となっていることを、遠くからでも一目見るだけで視覚的に容易に把握することができるようになる。又、傾斜段階が２段階目であれば、例えば図４（ｂ）に例示するように、左側領域の目標量表示部４３が前記１段階目の表示位置よりもさらに上方に位置設定される一方、右側領域の使用量表示部４４が前記１段階目の表示位置よりもさらに下方に位置設定される。加えて、１段階目の場合と同様に、区画線４５よりも上側領域４６が無着色又は淡色の背景色とされる一方、区画線４５よりも下側領域４７が青色で着色される。この場合、区画線４５の傾斜状態がより強く変更されて、青色の着色領域（下側領域４７）の形状が変化するため、１段階目の場合よりも節約状態の程度がより大きく変化したことを視覚的に容易に把握することができるようになる。さらに、傾斜段階が３段階目であれば、例えば図４（ｃ）に例示するように、左側領域の目標量表示部４３が前記２段階目の表示位置よりもさらに上方に位置設定される一方、右側領域の使用量表示部４４が前記２段階目の表示位置よりもさらに下方に位置設定される。加えて、１段階目や２段階目の場合と同様に、区画線４５よりも上側領域４６が無着色又は淡色の背景色とされる一方、区画線４５よりも下側領域４７が青色で着色される。この場合、青色の着色領域が区画線４５の傾斜状態が２段階目の場合よりもさらに強く変更されて形状が大きく変化するため、１段階目や２段階目の場合よりも節約状態の程度がより一層大きく変化したことを視覚的に容易に把握することができるようになる。
【００６０】
一方、Ｙ＜０の場合、傾斜段階が１段階目であれば、例えば図５（ａ）に例示するように、左側領域の目標量表示部４３の表示位置が右側領域の使用量表示部４４の表示位置よりもやや上方に位置設定される。加えて、区画線４５よりも上側領域４６が売電の場合と同様に無着色又は淡色の背景色とされる一方、区画線４５よりも下側領域４７が橙色で着色される。Ｙ＞０の場合の青色とは異なり、Ｙ＜０の場合には橙色の着色が付されるため、現在の電力使用状況が使い過ぎであることを、遠くからでも一目見るだけで視覚的に容易に把握することができるようになる。又、傾斜段階が２段階目であれば、例えば図５（ｂ）に例示するように、左側領域の目標量表示部４３が前記１段階目の表示位置よりもさらに下方に位置設定される一方、右側領域の使用量表示部４４が前記１段階目の表示位置よりもさらに上方に位置設定される。加えて、１段階目の場合と同様に、区画線４５よりも上側領域４６が無着色又は淡色の背景色とされる一方、区画線４５よりも下側領域４７が橙色で着色される。この場合、区画線４５の傾斜状態がより強く変更されて、橙色の着色領域（下側領域４７）の形状が変化するため、１段階目の場合よりも使い過ぎの程度がより大きく変化したことを視覚的に容易に把握することができるようになる。さらに、傾斜段階が３段階目であれば、例えば図５（ｃ）に例示するように、左側領域の目標量表示部４３が前記２段階目の表示位置よりもさらに下方に位置設定される一方、右側領域の使用量表示部４４が前記２段階目の表示位置よりもさらに上方に位置設定される。加えて、１段階目や２段階目の場合と同様に、区画線４５よりも上側領域４６が無着色又は淡色の背景色とされる一方、区画線４５よりも下側領域４７が橙色で着色される。この場合、橙色の着色領域が区画線４５の傾斜状態が２段階目の場合よりもさらに強く変更されて形状が大きく変化するため、１段階目や２段階目の場合よりも使い過ぎの程度がより一層大きく変化したことを視覚的に容易に把握することができるようになる。
【００６１】
以上の実施形態のエネルギー使用量表示装置の場合、商用電力系統と系統連系される発電装置における現在の電力使用状況を、特に目標電力量と使用電力量とのいずれが大きいかの別、言い換えれば電力使用状況が節約状態なのか使い過ぎ状態なのか、それに伴い電気料金が低減化傾向なのか増大化傾向なのかの別、加えて、その度合いがどの程度なのかの情報を、比較的遠くからでも一目見るだけで視覚的に容易に把握することができるようになる。
【００６２】
＜他の実施形態＞
なお、本発明は前記実施形態に限定されるものではなく、その他種々の実施形態を包含するものである。例えば、前記実施形態では太陽光発電システムの例を示したが、その他の自然エネルギー（例えば風力又は潮力）を用いた発電システムや、自然エネルギー以外の発電システム（例えば、燃料電池発電システムやガスエンジン発電システムなど）にも適用可能である。
【００６３】
目標量表示部４３及び使用量表示部４４の表示位置が上下方向に対し段階的に移動するように変更表示させる場合、前記実施形態の如き３段階に移動させる他、例えば４段階でも５段階でも必要に応じて任意の段階数を設定することができる。
【００６４】
前記実施形態では、横長のエネルギー使用量表示モニター４１を左右方向に領域区分し、左側領域に対し目標量表示部４３を領域設定し、右側領域に対し使用量表示部４４を領域設定し、（１）式のＹの値の大小に応じて、目標量表示部４３及び使用量表示部４４が上下方向に対し互いに逆側に移動するように、表示位置の変更を行うようにしているが、これを平面方向に９０度回転させて縦長の表示形態にすることができる。すなわち、図６（ａ）に例示するように、縦長のエネルギー使用量表示モニター４１ａを上下方向に２つに領域区分し、上側領域に対し目標量表示部４３ａを領域設定し、下側領域に対し使用量表示部４４ａを領域設定し、（１）式のＹの値の大小に応じて、目標量表示部４３ａ及び使用量表示部４４ａが左右方向に対し互いに逆側に移動するように、表示位置の変更を段階的に又は無段階に行うようにすることができる。そして、区画線４５ａを挟んだ左右方向両側の領域４６ａ，４７ａの一方（右側領域４７ａ）に対し、Ｙ＞０の場合（節約状態の場合）には例えば青色、Ｙ＜０の場合(使い過ぎの場合)には例えば橙色というように、互いに異なる色彩の着色を付すようにすればよい。なお、閾値を用いて段階的に表示位置を変更する手法は前記実施形態で示した手法と同様のものを適用すればよい。
【００６５】
区画線４５を挟んだ一側領域の着色例として、“節約状態”のイメージとして青色を、“使い過ぎ状態”のイメージとして橙色を、それぞれ示したが、この組み合わせに限らず、他の色彩の組み合わせを採用することができる。例えば“節約状態”のイメージとして緑色の着色を、“使い過ぎ状態”のイメージとして赤色の着色を、それぞれ付すようにしてもよい。
【００６６】
前記実施形態では、１組の対比されるエネルギー使用量に係る数値として、目標電力量と使用電力量との組み合わせを示したが、これに限らず、例えば過去所定期間の実績値としての使用電力量と、現在を含む所定期間に消費されている使用電力量との組み合わせを１組の対比されるエネルギー使用量に係る数値として用いるようにしてもよい。所定期間としては例えば１ヶ月、１週間、１日、あるいは、１時間を採用することができ、例えば１日であれば、昨日の１日間の実績値としての使用電力量と、本日の使用電力量とを対比表示させるようにすればよい。この場合、本日の使用電力量として時間経過に従い各時間毎の使用電力量を積算し、その積算値を使用電力量として表示する一方、対比する昨日の使用電力量として同時間における積算値を昨日の使用電力量として表示すればよい。
【００６７】
又、前記実施形態では対比表示する対象を使用電力量について説明したが、ガス使用量や水道使用量についても、前記実施形態と同様に、目標量と使用量とについて対比表示させることができる。この場合、使用電力量、ガス使用量、水道使用量の全てについて、対比表示可能とし、例えばメニューボタン４８３(図３参照)を押すことにより、使用電力量からガス使用量の対比表示画面に、あるいは、ガス使用量から水道使用量の対比表示画面に切換可能に構成することができる。
【００６８】
さらに、前記実施形態のエネルギー使用量表示装置を給湯器に通信接続し、給湯器で消費されるガス量や水道量について、例えば目標量と使用量の対比、あるいは、過去の使用実績量と現在の使用量との対比について、前記実施形態と同様形態により表示させるようにすることも可能である。
【符号の説明】
【００６９】
２            パワーコンディショナー（エネルギー使用量計測部）
４，４００    エネルギー使用量表示装置
１１          電力測定ユニット（エネルギー使用量計測部）
４１，４１ａ  エネルギー使用量表示モニター
４２          支点
４３          目標量表示部（第２エネルギー使用量表示部）
４４          使用量表示部（第１エネルギー使用量表示部）
４５          区画線
４７          下側領域（一部領域）
４７ａ        右側領域（一部領域）
１００        発電装置
１１１        エネルギー使用量計測部
【図１】
2015069390.tif 000003
【図２】
2015069390.tif 000004
【図３】
2015069390.tif 000005
【図４】
2015069390.tif 000006
【図５】
2015069390.tif 000007
【図６】
2015069390.tif 000008